(57)【要約】【課題】オフィス用のデスクなど天板を有する家具に対して、簡素な構成で工具などを用いることなく簡単に取り付けられてパーテーションとして機能し、なお且つ所望の天板の所望箇所に取り付けられる有用なスクリーンを提供する。【解決手段】平板材に、天板Ｄ１を挿入可能な切欠部３を形成して、この切欠部３に前記天板Ｄ１を挿入して取り付けられるように構成し、その取付状態において前記天板面Ｄ１ａにより上方に位置する部位を前記本体部１として機能させるとともに、天板面Ｄ１ａより下方に位置する部位を前記バランス部２として機能させるようにしたスクリーンＳ１。【選択図】図２
2004016562.tif 000002
【特許請求の範囲】
【請求項１】
天板面に起立姿勢で載置され天板の上方空間を左右に仕切る本体部と、前記天板面より下方に位置して前記本体部の起立姿勢を重力を利用して維持させるバランス部とを備えているスクリーン。
【請求項２】
前記本体部とバランス部とを、一枚の平板材によって一体に形成している請求項１記載のスクリーン。
【請求項３】
前記一枚の平板材に前記天板を挿入可能な切欠部を設けこの切欠部に天板を挿入した取付状態において、前記天板面より上方に位置する部位を前記本体部とするとともに、天板面より下方に位置する部位を前記バランス部としている請求項２記載のスクリーン。
【請求項４】
前記切欠部が、当該切欠部の上端部を上下方向における略中央位置に位置付けるように略水平方向に沿って形成されたものである請求項３記載のスクリーン。
【請求項５】
前記切欠部の奥端部が、外方に湾曲する形状をなすものである請求項４記載のスクリーン。
【請求項６】
前記切欠部に、その開口端部に向かって当該切欠部の開口幅寸法を漸次増大させる傾斜部を設けている請求項３、４又は５記載のスクリーン。
【請求項７】
前記天板に接触する部位に、滑り止め手段を設けている請求項１、２、３、４、５又は６記載のスクリーン。
【請求項８】
前記本体部の少なくとも一部が、所定の筆記具で書き込み可能なものである請求項１、２、３、４、５、６又は７記載のスクリーン。
【請求項９】
前記所定の筆記具を保持する筆記具保持部を備えている請求項８記載のスクリーン。
【請求項１０】
手で把持し得る把持部を備えている請求項１、２、３、４、５、６、７、８又は９記載のスクリーン。
【発明の詳細な説明】
【０００１】
【発明の属する技術分野】
本発明は、天板を有する家具に対して好適に用いられるスクリーンに関するものである。
【０００２】
【従来の技術】
従来、例えば、オフィスなどにおいて個人用のデスクを復数並べて複数の者が並んだ状態で仕事を行う場合には、各個人が個人ワークに集中するために、隣接するデスクとの間に起立するサイドパネル等を取り付ける場合がある。そして、このようなサイドパネルは、その起立姿勢を維持させてパーテーションとして機能するように、ネジ止めや専用の取付構造によってデスクに固定するようにして使用されている。
【０００３】
【発明が解決しようとする課題】
ところが、このようなものであると、サイドパネルの取り付けのためにデスク側にも加工を施さねばならない上、取り付けための部品を要して部品点数の増加を招くことになる。
【０００４】
さらに、サイトパネルをデスクに対して固定しているため、取り外して天板の別の位置や別の天板等別の箇所に付け替える場合、また取り払ってしまう場合には、工具などを使用して面倒な取り外し作業を行わねばならないという不具合もあった。
【０００５】
そこで、このような不具合を解決すべく、オフィス用のデスクなど天板を有する家具に対して、簡素な構成で工具などを用いることなく簡単に取り付けられてパーテーションとして機能し、なお且つ所望の天板の所望箇所に取り付けられる有用なスクリーンを提供する。
【０００６】
【課題を解決するための手段】
すなわち、本発明のスクリーンは、天板面に起立姿勢で載置され天板の上方空間を左右に仕切る本体部と、前記天板面より下方に位置して前記本体部の起立姿勢を重力を利用して維持させるバランス部とを備えていることを特徴とする。
【０００７】
このようなスクリーンであれば、天板面に本体部を載置するだけで本体部の起立姿勢を維持させることができ、取り付けのための部材や機構を要さないで天板に対してパーテーションとして取り付けることができるようになる。さらに、簡単に取り外すこともできるようになり、その結果、天板面における別の部位に対しても別の天板の天板面に対しても簡単に付け替えることが可能となる。加えて、重力を使用して本体部の起立姿勢を維持させるようにしているので、本体部に対して外力が作用しても、バランス部がつり合いを取るように作用して起立姿勢を保つことができるようになる。
【０００８】
このようなスクリーンとして可及的に簡素な構成のものとしては、一枚の平板材によって本体部とバランス部とを一体に形成するようにしたものが挙げられる。
【０００９】
そして、このような平板材によるスクリーンを実現化する好ましい具体的な態様としては、前記平板材に前記天板を挿入可能な切欠部を形成し、この切欠部に天板を挿入して天板に取り付けられるようにしておき、その取付状態において天板面より上方に位置する部位を前記本体部として機能させるとともに、天板面より下方に位置する部位を前記バランス部として機能させるようにしているものが挙げられる。このようなものであれば、バランス部に天板の下方空間における仕切り機能を兼用させることもできるようになる。また、天板面を有する家具の脚部の近傍位置に配置させた場合には、バランス部がその脚部に当接して本体部の揺れを防止することも可能となる。さらに、切欠部の上下幅寸法を天板より若干大きい程度に設定すれば、本体部に対して力が作用した場合に、天板が切欠部によって挟まれて移動を禁止するため、スクリーンの転倒防止が可能となる。
【００１０】
このような切欠部の具体的な態様としては、略水平方向に沿って前記平板材を切り欠いて形成したものが挙げられる。そして、このように略水平方向に沿った切欠部を形成しているものにおいて、起立姿勢でのバランスを取り易く且つ本体部を大きくとるためには、前記天板面に支持される切欠部の上端部を、上下方向の略中央位置に位置させるようにすると望ましい。
【００１１】
またこのような略水平方向に沿う切欠部の形状としては、その開口端部とは反対側の奥端部を外方に湾曲するように成形したものが望ましい。天板の使用縁部は外方に湾曲した形状をなすものが多いため、切欠部内に天板を最も奥方まで挿入させた場合に、当該切欠部が天板の使用縁部の形状に沿って接触することになり起立姿勢におけるがたつきを低減させることが可能となるからである。
【００１２】
また、天板の挿入をスムーズに行えるようにするためには、切欠部に、開口端部に向かってその開口幅寸法を漸次増大させる傾斜部を設けることが望ましい。
【００１３】
また、起立姿勢の維持を行いやすくするためには、天板と接触する部位に滑り止め手段を設けることが望ましい。このような滑り止め手段としては、滑り止め機能を有する別部材を取り付けるようにしたものの他、天板と接触する部位を、滑り難いすなわち天板との摩擦力が大きい素材によって形成したようなものであってもよい。
【００１４】
さらに、有用なスクリーンとするためには、本体部の少なくとも一部を、所定の筆記具で書き込み可能に構成すると好ましい。
【００１５】
このように所定の筆記具で書き込み可能なものに構成した場合に、さらに使用勝手が向上するためには、その筆記具を保持する筆記具保持部を設けることが望ましい。そして、このような筆記具保持部としては、例えば筆記具を収容できる収容具を取り付けて構成したようなものの他、筆記具を挟み込んで保持するようなものやマグネットや面ファスナを利用して保持させるようなものであってもよい。
【００１６】
持ち運び便利なものとするためには、手で把持可能な把持部を設けることが望ましい。このような把持部としては、本体部乃至バランス部に取り付けたものや一体的に形成したものであってもよいが、簡素で好ましい具体的態様としては、前記本体部乃至バランス部に形成した孔や切欠部などが挙げられる。
【００１７】
【発明の実施の形態】
以下、本発明の一実施形態を、図１から図８を参照して説明する。
【００１８】
本実施形態におけるスクリーンＳ１は、オフィスなどにおいて、例えば図１及び図６に示したデスクＤの天板Ｄ１に取り付けられてパーテーションとして使用されるものである。このデスクＤは、２人で使用できる程度の天板面積を有した天板Ｄ１を左右の脚体Ｄ２に支持させることにより構成されている。
【００１９】
スクリーンＳ１は、前記天板Ｄ１の天板面Ｄ１ａに起立姿勢で載置され天板Ｄ１の上方空間を左右に仕切る本体部１と、前記天板面Ｄ１ａより下方に配置され前記本体部１の起立姿勢を重力を利用して維持させるバランス部２とを備えているものである。
【００２０】
具体的には、前記本体部１とバランス部２とを、上下方向に広がる対向した２面を有する一枚の平板材を利用して構成したものである。この平板材は、ＭＤＦやウレタン硬化樹脂などから構成した芯の表面にメラミン化粧板を貼り、さらにそのメラミン化粧板の表面にホワイトボードシートを貼付けて構成し、前記上下方向に広がる対向した２面全面を、ペンＰなど所定の筆記具で書き込めるようにしたものである。そして、デスクＤに対する取付状態において、天板面Ｄ１ａ領域を干渉せず且つ起立可能な厚み幅寸法（例えば、８ミリメートル）に設定されている。また、この平板材は、本実施形態においては、その側面視外形状が略円形をなすように成形されたものであり、角を有さない形状にすることで安全性を確保し、またデザイン的にも優しい印象を与えるものとしているが、このような形状に限らず、その側面視を、矩形状や逆三角形をなすものとしてもよい。なお、この側面視の「側面」としているのは、デスクＤに取り付けた状態において当該デスクＤの側面に対応する面を指しており、図３に示した面のことである。
【００２１】
そして、スクリーンＳ１を構成する前記平板材に、天板Ｄ１を挿入可能な切欠部３を形成して、この切欠部３に前記天板Ｄ１を挿入して取り付けられるように構成し、その取付状態において前記天板面Ｄ１ａにより上方に位置する部位を前記本体部１として機能させるとともに、天板面Ｄ１ａより下方に位置する部位を前記バランス部２として機能させるようにしている。
【００２２】
切欠部３は、前記平板材の一方の側端部側に開口し略水平方向に沿って切り欠いて形成したものである。本実施形態では、開口端部３ａとは反対側の奥端部３ｂが、側面視外方に湾曲した形状をなすように成形されており、また、その上端部３ｃ（図３参照）が、スクリーンＳ１の上下方向における略中央位置に位置付けられるように設定されている。また、その上下幅寸法は、一般的な天板Ｄ１の厚み寸法より大きく設定されており、さらに当該切欠部３の下方側の所定位置から開口端部３ａ側に向かって漸次その開口幅寸法（上下幅寸法）が大きくなるような傾斜部３１を形成している。また、この切欠部３の天板Ｄに接触する部位となる上端部３ｃには、滑り止め手段たる樹脂性のカバー４を装着している。従って、取付状態においては、このカバー４の下端面４ａが、天板Ｄ１に当接する載置面を構成することになる。なお、このカバー４は、前記上端部３ｃから奥端部３ｂの上半分位置まで連続して取り付けられている。
【００２３】
本体部１は、前述したように当該スクリーンＳ１を天板Ｄ１に載置させた場合に天板面Ｄ１ａより上方に位置する部位がその機能を担っており、すなわち、図３に示すように、カバー４の下端面４ａよりも上方側に位置する部分が相当することになる。この本体部１は、側面視半円形をなしており、その上下幅寸法は通常このデスクＤに着座した者の頭部が少し出る程度（例えば天板面Ｄ１ａより４０センチメートル、図６参照）の高さ寸法に設定されている。この本体部１の上端部側には、手で把持可能な大きさ及び位置に設定された長孔状の把持部５が形成されており、スクリーンＳ１を持ち運びやすくしている。さらに、バランス部２との境界部分にも孔６が形成されており、この孔６を壁などに取り付けたフック等に引っ掛けて収納することができるようになっている。
【００２４】
バランス部２は、前述したように当該スクリーンＳ１を天板Ｄ１に載置させた場合に天板面Ｄ１ａに下方に位置する部分がその機能を有するもので、すなわち、前記カバー４の下端面４ａよりも下方側に位置する部分が相当することになる。また下端部近傍には、孔７１が形成されており、この孔７１にペンＰを収容するペン収容具７２を引っ掛けて取り付けるようにしてスクリーンＳ１の表面に書き込むためのペンＰを保持するペン保持部７を構成している。なお、ペン収容具７２は、スクリーンＳ１の両側面側にそれぞれにペンＰを収容するペン収容部７２１を設けてなるもので、当該スクリーンＳ１を挟んで着座する者が各々使用できるようになっている。
【００２５】
次に、本実施の形態のスクリーンＳ１を使用する場合について説明する。
【００２６】
デスクＤを２人でシェアするためのパーテーションとして使用する場合には、図１の左側のデスクＤに示したように、天板Ｄ１の幅方向の略中央位置において、スクリーンＳ１を切欠部３内に奥行き方向に沿って天板Ｄ１を差し込んでいき、本体部１が起立姿勢となるように取り付ける。この際、図６に示すように、スクリーンＳ１を、切欠部３の奥端部３ｂが天板Ｄ１の使用縁部Ｄ１ｂと接触する位置まで挿入するようにしてもよいし、着座者を隠蔽するように天板Ｄ１より少し手前側に位置するようにしてもよい。そして、隣接する者と情報交換などしたい場合等スクリーンＳ１を必要としない場合には、このスクリーンＳ１を取り外すようにすればよい。そして、例えば、前記孔６を利用して壁に設けたフックなどに引っ掛けるようにして保管する。なお、このようなフックに引っ掛けるのは、長孔状に形成した把持部５を利用してもよい。
【００２７】
また、隣接するデスクＤ、Ｄ間のパーテーションとして使用する場合には、図１の右側のデスクＤに示したように、この際、スクリーンＳ１をバランス部２がデスクＤの脚部Ｄ２に沿うような位置に取り付けるようにすれば、図５に示したように、本体部２に対して側方からの力が作用した場合に、バランス部２が脚部Ｄ２に当接してスクリーンＳ１の揺れが規制される。
【００２８】
また、図７、８に示したようなデスクＤ’に取り付けることも可能である。このデスクＤ’は、その両側部に脚部Ｄ２’の上端に天板Ｄ１’を支持するアームＤ３’を備えているものである。
【００２９】
その取付手順は、上記したデスクＤに対するものと同様である。この天板Ｄ’の使用縁部Ｄ１ｂ’は、側面視部分円弧状をなすものであり、天板Ｄ’を切欠部３に最も奥方に挿入すれば、使用縁部Ｄ１ｂ’が切欠部３の奥端部３ｂに対してほぼフィットしてがたなく取り付けられる。本実施形態では切欠部３の上下幅寸法を大きく取っているので、このデスクＤ’の天板Ｄ１’をアームＤ３’ごと挿入することも可能であり、天板Ｄ’の端部近傍位置にスクリーンを取り付けて使用スペースを狭めないようにできる。そして、図８に示したように複数のデスクＤ’を複数並列させているオフィス空間において、個人ワークに集中したいような場合にはスクリーンＳ１を隣接するデスクＤ’、Ｄ’を仕切るように取り付け、一方、２、３人程度のミニコラボレーションを行う場合などには、取り外すようする。
【００３０】
以上のように構成したスクリーンＳ１によれば、天板面Ｄ１ａに載置するだけで、本体部１の起立姿勢を維持できるため、従来のようにねじや専用の取付構造を利用して固定することなく、天板Ｄ１、Ｄ１’に取り付けてパーテーションとして使用することができる。
【００３１】
また、デスクＤ、Ｄ’に対して固定していないため、天板Ｄ１、Ｄ１’の別の部位や他のデスクの天板に取り付け替えたり、不必要な場合に取り外すことも極めて簡単に行える。そして、本実施形態のデスクＤのように、当該スクリーンＳ１を取り付けることによって、デスクＤを左右に分割して２人分の個人スペースを形成することができる。
【００３２】
また、天板面Ｄ１ａより下方に設けたバランス部２と重力を利用してバランスを取るようにしているため、本体部１に外力が作用した場合でも、前記バランス部２によって起立姿勢に戻す力が作用し、簡単には倒れず起立姿勢を維持することができる。また、スクリーンＳ１を、バランス部２がデスクＤの脚部Ｄ２の近傍に位置するように取り付けた場合には、バランス部２がその脚部Ｄ２に当たり、スクリーンＳ２の揺れ及び転倒を防ぐ効果を奏することになる。また、デスクＤ’においても、バランス部２が、脚部Ｄ２’乃至アームＤ３’に当たることになり、揺れ防止の効果を奏する。
【００３３】
本実施形態のバランス部２は、平板材から構成して所定面積を有する板状をなすものであるため、天板Ｄ、Ｄ’の下方空間を左右に仕切ることもできる。
【００３４】
また、本体部１と切欠部２とを一枚の平板材から構成するようにしたので極めて簡素な構成でパーテーションとして機能するスクリーンを提供することができる。
【００３５】
また、切欠部３の上端部３ｃを、上下方向の略中央位置に配置するように切欠部３を形成したので、この上端部３ｃに装着され載置面を形成するカバー４の下端面４ａも上下方向の略中央位置に配置されることになり、天板面Ｄ１ａ、Ｄ１ａ’に載置させた状態でのバランスを良好なものとし、なお且つ本体部１の面積を大きくとることができる。
【００３６】
切欠部３に傾斜部３１を設けたので、天板Ｄ、Ｄ’の挿入動作がスムーズに行える。また、その他、天板の下方の反使用縁側に設けられた部材や構造を設けられたデスクに対して取り付けたような場合であっても、これらを避けて任意の部位に取り付けることも可能である。
【００３７】
切欠部３の奥端部３ｂを外方に湾曲させるようにしているので、特に、デスクＤ’のように使用縁部Ｄ１ｂ’が側面視部分円弧状をなすような天板Ｄ１’に取り付けた場合に、図７に示すようにスクリーンＳ１を切欠部３内に天板Ｄ１’を最も奥方まで差し込んで取り付けるようにすると、天板Ｄ１’の使用縁部Ｄ１ｂ’の形状に沿って接触することになり、がたつきの少ない安定した状態での取り付けができる。
【００３８】
また、切欠部３の上下幅寸法を一般的な厚み幅より大きく設定しているので、脚部Ｄ２’の上端に天板Ｄ１’を支持するアームＤ３’を備えているデスクＤ’に対しても取り付けることができ、すなわち、様々なデスクに対して取り付けることできる。
【００３９】
天板Ｄ１、Ｄ１’に接触する部位である切欠部３の上端部３ｃに樹脂製のカバー４を取り付けたので、天板Ｄ１、Ｄ１’に対する載置面が摩擦力の大きなものとなり起立姿勢の維持に有効である。
【００４０】
スクリーンＳ１を構成する平板材にホワイトボードシートを貼り付けて、ペンＰで書き込み可能なものとしているので、デスクＤ、Ｄ’周りの機能性を向上させることができる。特にオフィスのデスクに利用する場合には、個人の予定表や伝達事項などを書き込めて有用なものとなる。さらに、ペン保持手段７によりペンＰをスクリーンＳ１に保持させておけるので便利である。なお、書き込み可能な面を、スクリーンの一部に形成したものであってもよい。
【００４１】
また、把持部５を設けたので、本実施形態のように薄く構成したスクリーンＳ１であってもその持ち運びが簡単であり、また取り外し作業も簡単に行える。
【００４２】
本発明は上記実施形態に限られない。
【００４３】
例えば、図９に示したようなスクリーンＳ２であってもよい。このスクリーンＳ２は、平板材に下方に開放される切欠部１３を形成し、この切欠部１３内にデスクＤの天板Ｄ１を嵌め込むように挿入した取付状態において、天板面Ｄ１ａより上方に位置し側面視半円形をなす部位を本体部１１とし、前記切欠部１３を挟んで前後端部から下方に垂下するバランス部１２を形成してなるものである。なお、このバランス部１２の下端部分にバランスを取りやすくするために重りを取り付けるようにしてもよい。また、天板面Ｄ１ａに接触する切欠部１３の上端部に前述したカバー４等のような滑り止め手段を取り付けてもよい。
【００４４】
また、図１０に示したようなスクリーンＳ３であってもよい。このスクリーンＳ３は、天板面Ｄ１ａに載置され側面視半円形をなす本体部１０１と、この本体部１０１の下方から天板Ｄ１の下方空間に回り込むように形成されたバランス部１０２とを備えてなる。このようなバランス部１０２としては、例えば、パイプ材を天板の下方空間に位置するように折り曲げ加工し、その先端部分に重りなどを取り付けて構成する。また、天板面Ｄ１ａに接触する本体部１０１の下端面に前述したカバー４等のような滑り止め手段を取り付けてもよい。なお、図９、１０において、スクリーンＳ２、Ｓ３を、上記デスクＤの天板Ｄ１に対して取り付けている様子を示しており、またデスクＤは想像線で示すようにしている。
【００４５】
その他、各部の具体的構成についても上記実施形態に限られるものではなく、本発明の趣旨を逸脱しない範囲で種々変形が可能である。
【００４６】
【発明の効果】
本発明は、以上説明したような形態で実施され、以下に記載されるような効果を奏する。
【００４７】
すなわち、本発明のスクリーンは、重力を利用して本体部の起立姿勢を維持させるようにしているので、天板面に本体部を載置するだけで本体部の起立姿勢を維持させることができ、取り付けのための部材や機構を要さないで天板に対してパーテーションとして取り付けることができる。さらに、簡単に取り外すこともできるようになり、その結果、天板面における別の部位に対しても別の天板の天板面に対しても簡単に付け替えることが可能となる。
【００４８】
加えて、本体部に対して外力が作用しても、バランス部がつり合いを取るように作用して起立姿勢を保つことができる。
【図面の簡単な説明】
【図１】本発明の一実施形態の使用状態を示す全体図。
【図２】同実施形態を示す全体斜視図。
【図３】図２における側面図。
【図４】図３におけるＸ−Ｘ線部分断面図。
【図５】同実施形態の動作説明図。
【図６】同実施形態の使用状態を示す説明図。
【図７】同実施形態の別の使用例を示す図。
【図８】同実施形態の別の使用例を示す図。
【図９】本発明の別の実施形態の使用状態を示す斜視図。
【図１０】本発明の別の実施形態の使用状態を示す斜視図。
【符号の説明】
１、１１、１０１・・・本体部
２、１２、１０２・・・バランス部
３、１３・・・切欠部
３１・・・傾斜部
３ａ・・・切欠部の開口端部
３ｂ・・・切欠部の奥端部
３ｃ・・・切欠部の上端部
４・・・滑り止め手段（カバー）
５・・・把持部
７・・・筆記具保持部（ペン保持部）
Ｄ１、Ｄ１’・・・天板
Ｄ１ａ、Ｄ１ａ’・・・天板面
Ｓ１、Ｓ２、Ｓ３・・・スクリーン
Ｐ・・・筆記具（ペン）
【図１】
2004016562.tif 000003
【図２】
2004016562.tif 000004
【図３】
2004016562.tif 000005
【図４】
2004016562.tif 000006
【図５】
2004016562.tif 000007
【図６】
2004016562.tif 000008
【図７】
2004016562.tif 000009
【図８】
2004016562.tif 000010
【図９】
2004016562.tif 000011
【図１０】
2004016562.tif 000012